(57)【要約】【課題】  巻付け部２に巻き付けた髪を半カバー４，５などのカバーで覆うことが可能で、髪を覆うときに、巻かれた髪をくずす虞がなく、見た目の悪いくせが髪に付くことがない髪巻付け具１を提供する。【解決手段】  髪を巻き付けるための巻付け部２と、該巻付け部２に巻き付けられた髪を覆う半カバー４，５とを有し、半カバー４，５は、巻付け部２をねじり変形させることなく、巻付け部２の外周面と間隔を開けてその外周面を周囲から囲うことが可能であり、且つその半カバー４，５に囲われた巻付け部２を半カバー４，５から開放することが可能である。【選択図】  図５
2014158513.tif 000002
【特許請求の範囲】
【請求項１】
髪を巻き付けるための巻付け部と、該巻付け部に巻き付けられた髪を覆うカバーとを有し、カバーは、巻付け部をねじり変形させることなく、巻付け部の外周面と間隔を開けてその外周面を周囲から囲うことが可能であり、且つそのカバーに囲われた巻付け部をカバーから開放することが可能であることを特徴とする髪巻付け具。
【請求項２】
カバーは、少なくとも一部が柔軟性及び可撓性を有する材料で構成され、且つカバーに囲われた巻付け部を開放するように変形可能である請求項１記載の髪巻付け具。
【請求項３】
カバーは、２つのカバー構成部分から構成され、それらのカバー構成部分が協働して、巻付け部に巻き付けられた髪を覆うものであり、少なくとも一方のカバー構成部分は、巻付け部の外周面と間隔を開けてその外周面を周囲から囲うことが可能な形状に形成され、且つカバー構成部分に囲われた巻付け部を開放するように変形可能である請求項２記載の髪巻付け具。
【請求項４】
カバー構成部分は、巻付け部の両端に存在する請求項２記載の髪巻付け具。
【請求項５】
各カバー構成部分は、それらの周縁部同士を沿わせることにより、巻付け部の外周面と間隔を開けてその外周面を周囲から囲うことが可能な形状に形成されている請求項３又は請求項４記載の髪巻付け具。
【請求項６】
各カバー構成部分は、柔軟性及び可撓性を有する材料で、それぞれ半割り形状の半カバーに形成され、且つ各カバー構成部分が、それらのカバー構成部分に囲われた巻付け部を開放するように変形可能である請求項３乃至請求項５のいずれか一項記載の髪巻付け具。
【請求項７】
各カバー構成部分は、周縁部同士が全周に亘って接触状態で対向している請求項３乃至請求項６のいずれか一項記載の髪巻付け具。
【請求項８】
少なくとも一方のカバー構成部分の周縁部は波形をなしている請求項２乃至請求項７のいずれか一項記載の髪巻付け具。
【請求項９】
カバーに囲われた巻付け部を開放するために、カバーを引っ繰り返した状態に変形させることが可能で、且つその引っ繰り返した状態が維持可能であることを特徴とする請求項２乃至請求項８のいずれか一項記載の髪巻付け具。
【発明の詳細な説明】
【技術分野】
【０００１】
本発明は、ヘアカーラーとしても、或いは髪止めとしても使用することができる髪巻付け具に関する。
【背景技術】
【０００２】
巻付け部に巻き付けた髪を覆うためのカバーを有するヘアカーラーは、特許文献１に開示されているように、従来から存在している。特許文献１の明細書に記載されているように、このヘアカーラーは、髪巻軸部の両端に略半球状の頭部を突出させたものとしている。このヘアカーラーを使用するには、髪巻軸部に髪の毛を巻いた状態にして、両端の頭部を髪巻軸部の軸心回りに相対的に回転させて髪巻軸部をねじる。すると、この髪巻軸部がねじれによって縮み両端の頭部の対向周面どうしが接触し、これら対向周面の摩擦力により髪巻軸部が弾性復元するのを規制される。これにより、髪巻軸部に髪の毛を巻いた状態で、ヘアカーラーを髪の毛に止めておくことができるようにしているものである。
【０００３】
このように、このヘアカーラーは、巻き付けた髪を覆うために髪巻軸部をねじるものである。髪巻軸部をねじるためには、ヘアカーラーの頭部を持って回転させる必要がある。髪巻軸部をねじるように頭部を回転させると、髪巻軸部はその中央を境に一方は髪が巻かれた方にねじれるが、他方は髪が巻かれた方向と反対方向にねじれる。そうすると、髪巻軸部に巻かれた髪がくずれるのである。また、両端の頭部の対向周面同士が接触してさらに弾性復帰が規制される摩擦力が生じるまで髪巻軸部をねじるのであるから、一方の頭部は髪と接触しながら髪の巻かれた方向と反対方向に回転することにより、ここでも巻かれた髪がくずれるのである。したがって、髪をきれいにカールするはずが、むしろ、見た目の悪いくせが髪に付いてしまうのである。
【先行技術文献】
【特許文献】
【０００４】
【特許文献１】特許第２８６７０２２号公報
【発明の概要】
【発明が解決しようとする課題】
【０００５】
本発明は、巻付け部に巻き付けた髪をカバーで覆うことが可能で、髪を覆うときに、巻かれた髪をくずす虞がなく、見た目の悪いくせが髪に付くことがない髪巻付け具を提供することを目的とする。
【課題を解決するための手段】
【０００６】
請求項１に記載の発明は、髪を巻き付けるための巻付け部と、該巻付け部に巻き付けられた髪を覆うカバーとを有し、カバーは、巻付け部をねじり変形させることなく、巻付け部の外周面と間隔を開けてその外周面を周囲から囲うことが可能であり、且つそのカバーに囲われた巻付け部をカバーから開放することが可能である構成である。
【０００７】
請求項２に記載の発明は、カバーの少なくとも一部が柔軟性及び可撓性を有する材料で構成され、且つカバーに囲われた巻付け部を開放するように変形可能である構成である。
【０００８】
請求項３に記載の発明は、カバーが２つのカバー構成部分から構成され、それらのカバー構成部分が協働して、巻付け部に巻き付けられた髪を覆うものであり、少なくとも一方のカバー構成部分は、巻付け部の外周面と間隔を開けてその外周面を周囲から囲うことが可能な形状に形成され、且つカバー構成部分に囲われた巻付け部を開放するように変形可能である構成である。
【０００９】
請求項４に記載の発明は、カバー構成部分が巻付け部の両端に存在する構成である。
【００１０】
請求項５に記載の発明は、各カバー構成部分が、それらの周縁部同士を沿わせることにより、巻付け部の外周面と間隔を開けてその外周面を周囲から囲うことが可能な形状に形成されている構成である。
【００１１】
請求項６に記載の発明は、各カバー構成部分が、柔軟性及び可撓性を有する材料で、それぞれ半割り形状の半カバーに形成され、且つ各カバー構成部分が、それらのカバー構成部分に囲われた巻付け部を開放するように変形可能である構成である。
【００１２】
請求項７に記載の発明は、双方のカバー構成部分の周縁部同士が全周に亘って接触状態で対向している構成である。
【００１３】
請求項８に記載の発明は、少なくとも一方のカバー構成部分の周縁部は波形をなしている構成である。
【００１４】
請求項９に記載の発明は、カバーに囲われた巻付け部を開放するために、カバーを引っ繰り返した状態に変形させることが可能で、且つその引っ繰り返した状態が維持可能である。
【発明の効果】
【００１５】
請求項１は、カバーは、巻付け部をねじり変形させることなく、巻付け部の外周面と間隔を開けてその外周面を周囲から囲うことが可能であり、且つそのカバーに囲われた巻付け部をカバーから開放することが可能である。巻付け部に髪を巻き付けて、それをカバーで覆うときに、巻付け部をねじり変形させることなく覆うことができるので、巻付け部に巻き付けられている髪がくずれるなど髪の形を乱すことがない。また、巻き付けられた髪がカバーで覆われているので、髪をカールするときに髪が他の物と接触することがなく、巻かれた状態を確実に維持することができる。さらに、カバーの表面を着色や模様などにより体裁良く形成すれば、外出する際に髪止めとして使用することができる。また、カバーに囲われた巻付け部を開放することが可能であるから、カバーに囲われた巻付け部の全部を開放することによって、或いは部分的に順次開放しながら、髪を巻付け部に巻き付けて行くことができる。
【００１６】
請求項２は、カバーの少なくとも一部が柔軟性及び可撓性を有する材料で構成され、且つカバーに囲われた巻付け部を開放するように変形可能である。したがって、巻付け部を開放するための特別の構成を設けなくても、カバーの少なくとも一部の材料を柔軟性及び可撓性を有する材料で形成することにより、材料の特性を利用してカバーを変形させ、巻付け部を開放することができる。
【００１７】
請求項３は、カバーが、２つのカバー構成部分から構成され、それらのカバー構成部分が協働して、巻付け部に巻き付けられた髪を覆うものであり、少なくとも一方のカバー構成部分は、巻付け部の外周面と間隔を開けてその外周面を周囲から囲うことが可能な形状に形成され、且つカバー構成部分に囲われた巻付け部を開放するように変形可能である。仮に、カバーが単一のものであるときは、巻付け部を開放するときに、巻付け部を囲っているカバーを大きく変形させなければならず、そのためには大きな力が必要になるから、使用者である女性にとって負担が大きくなり取扱いに不便である。カバーを２つのカバー構成部分に分けることにより、巻付け部を開放するときのカバー構成部分の変形を小さくすることができるので、変形に要する力が少なくて済み、女性にとって取扱いが楽である。
【００１８】
請求項４は、カバー構成部分が、巻付け部の両端に存在する。したがって、両端に突出部がないので、全体の形状をお菓子のマカロン状とすることができるから、髪止めとして使用したときに、かわいらしい印象を与えることができる。
【００１９】
請求項５は、各カバー構成部分が、それらの周縁部同士を沿わせることにより、巻付け部の外周面と間隔を開けてその外周面を周囲から囲うことが可能な形状に形成されている。したがって、双方のカバー構成部分の周縁部の間に指を挿し入れてその部分を広げ、周縁部の周方向に巻付け部を部分的に順次開放しながら、髪を周縁部の間から巻付け部に巻き付けて行くことができる。カバーを全部開放してから髪を巻き付けて行くこともできるようにしてもよいことは言うまでもない。
【００２０】
請求項６は、各カバー構成部分が、柔軟性及び可撓性を有する材料で、それぞれ半割り形状の半カバーに形成され、且つ各カバー構成部分が、それらのカバー構成部分に囲われた巻付け部を開放するように変形可能である。カバーを単一のものとせず、２つの半カバーとすることにより、巻付け部を開放する際のカバーの変形量を半分とすることができるから、大きな力を要せず無理なく変形することができ、女性にとって取扱いを楽にすることができる。
【００２１】
請求項７は、双方のカバー構成部分が、周縁部同士が全周に亘って接触状態で対向している。したがって、周縁部に挟まれた毛束は両側から押圧されるので、髪止めとして使用したときに、毛束を周縁部のどこの位置で挟んでも髪巻付け具が回転することがなく、落下することを確実に防止することができる。
【００２２】
請求項８は、少なくとも一方のカバー構成部分の周縁部は波形をなしている。したがって、周縁部に挟まれている毛束が波形の突き出た周縁部に引っ掛かるので、髪を巻き付けた髪巻付け具を頭から下げたときに、髪巻付け具が回転しづらいので落下しない。また、一方のカバー構成部分の突き出した周縁部に指を引っ掛けることにより、カバー構成部分を容易に変形させることができる。
【００２３】
請求項９は、カバーに囲われた巻付け部を開放するために、カバーを引っ繰り返した状態に変形させることが可能で、且つその引っ繰り返した状態が維持可能である。したがって、髪を巻き付けたりほどいたりするときに、手でカバーを開いた状態に保持ことが不要であり、カバーをひっくり返すことにより、カバーが邪魔にならない。
【図面の簡単な説明】
【００２４】
【図１】図１は、本発明の斜視図である。
【図２】図２は、本発明の正面図である。
【図３】図３は、本発明の側面図である。
【図４】図４は、本発明の断面図である。
【図５】図５は、本発明の分解図である。
【図６】図６は、本発明のカバー構成部分を引っ繰り返した状態を示す図である。
【図７】図７は、本発明の使用状態を示す図である。
【発明を実施するための形態】
【００２５】
髪巻付け具１は、図５に示すように、巻付け部２を有する芯部材３と、半カバー４，５がそれぞれ別体に形成されている。芯部材３は、硬質樹脂で円筒形に形成され、巻付け部２の表面には周方向に延びる３本の突条６が形成されている。芯部材３の円筒形の内径は、一本の指が楽に挿入できる大きさが好ましい。芯部材３に指を挿入して髪巻付け具１を回転させながら効率的に髪を巻き付けることができると共に、巻き付けた髪を外すときも効率的に髪をほどくことができる。各突条６の表面には、それぞれ多数の突起７が形成されている。突起７は、巻き付けた髪を引っ掛けるためのものである。また、芯部材３の両端と外側の突条６との間の部分にそれぞれ４つずつの係止孔８，９が形成されている。これらの係止孔８，９は、半カバー４，５を芯部材３に結合するためのリング体１０，１１の突片１２，１３に形成されている係止突部１４，１５を、係止させるためのものである。リング体１０，１１は、やや可撓性を有する硬質樹脂で形成されており、突片１２，１３は撓むことが可能である。
【００２６】
芯部材３の両端の端面１６，１７には、それぞれ４つずつ突起１８，１９が形成されている。これらの突起１８，１９は、半カバー４，５に形成されている小孔２０，２１に嵌合して、半カバー４，５との位置決めをするためのものである。また、リング体１０，１１の内面にも４つずつ突起２２，２３が形成されており、これらの突起２２，２３も、半カバー４，５に形成されている小孔２０，２１に嵌合して、半カバー４，５との位置決めをする。
【００２７】
半カバー４，５は、シリコーン樹脂で形成されているが、シリコーン樹脂に限定されるものではなく、柔軟性及び可撓性を有する樹脂であればよい。半カバー４，５は共に同じように形成されているので、これ以降、一方の半カバー４について説明する。半カバー４は、深皿状に形成され、中央に芯部材３の端部２４を嵌め込むための円形の開口部２５が形成されている。前述したように、開口部２５の周囲に８つの小孔２０が形成されている。周縁部２６は波形に形成されており、この波形は、４つの山２７と４つの谷２８を有している。他方の半カバー５も同じ波形に形成されているので、一方の半カバー４の周縁部２６の山２７と他方の半カバー５の周縁部の谷３０を合せることにより、双方の半カバー４，５は、周縁部同士が全周に亘って接触状態で対向する。
【００２８】
半カバー４の周縁部２６は、半カバー４の他の部分よりも肉厚に形成されている。これは、半カバー４を引っ繰り返そうとするときに、引っ繰り返す途中の一定の所までは、半カバー４に元の形状に戻ろうとする弾性復帰力が生じる。周縁部２６には弾性復帰力による張力が生じるので、周縁部２６の肉厚が薄いと、その張力によって周縁部２６が伸びてしまい、弾性復帰力により自動的に元の形状に戻ってしまうのである。また、一定の所まで半カバーをひっくり返した状態で、作業する者が周縁部２６に軽く触れただけで元の形状に戻ってしまう虞もある。そこで、周縁部２６を肉厚に形成して、周縁部２６に張力が生じても伸びないように肉厚に形成すれば、手で周縁部２６を延ばさない限り、半カバー４が元の形状に戻ることがないので、引っ繰り返した状態を維持することができるのである。
【００２９】
髪巻付け具１を組み立てるときは、まず、芯部材３の端部２４を半カバー４の開口部２５内に嵌め合わせる。その際、芯部材３の端面１６に形成されている突起１８を、半カバー４の小孔２０に嵌め込んで半カバー４との位置決めをする。次に、リング体１０の突片１２を半カバー４の開口部２５から芯部材３の内部に圧入する。このとき、突片１２は内側に撓みながら芯部材３の端部に形成されている溝２９内を進み、一杯に圧入されたときに、突片１２の係止突部１４が芯部材３の係止孔８に係止し、芯部材３とリング体１０との間に半カバー４が挟持され半カバー４と芯部材３が結合される。その際、芯部材３の端面１６に形成されている突起１８を、半カバー４の小孔２０に嵌め込んで半カバー４の位置決めをする。他方の半カバー５についても、同様の工程により芯部材３に結合する。前述したように、一方の半カバー４の周縁部２６の山２７と他方の半カバー５の周縁部の谷３０を合せて、双方の半カバー４，５の周縁部同士を全周に亘って接触状態で対向させる。接触は、圧接を伴う接触でもよく、圧接を伴わない接触でもよい。
【００３０】
次に、本発明の使用方法について説明する。髪を巻付け部２に巻き付けるときは、図６に示すように、半カバー４，５をそれぞれ引っ繰り返して、巻付け部２を全面的に開放する。次いで、髪の毛束を作り、毛束の先から順次巻付け部２に巻いて行く。その際、一方の手の指を芯部材３の中に挿し入れ、他方の手で髪巻付け具１を回転させながら巻いて行くこともできる。髪の巻付けが終わったら、半カバー４，５を両側から押圧するなどして、半カバー４，５を元の形状に戻す。これにより、巻き付け作業が完了し、図７に示すように髪巻付け具１が毛束にセットされる。毛束が細いときは、一方の半カバーのみを引っ繰り返して巻き付けることも可能である。
【００３１】
次に、本実施態様のサイズについて説明する。髪巻付け具１の直径は約６０ｍｍであり、厚みは約３０ｍｍである。芯部材３及びリング体１０，１１の内径は共に約２０ｍｍである。サイズは以上の通りであるが、本発明がこれらの数値に限定されないことは勿論である。
【００３２】
なお、本発明は前述した構成に基づいて種々の態様をとることが可能である。例えば、芯部材３を用いることなく、巻付け部２と半カバー４，５を一体に形成してもよい。一方の半カバー４が深皿状で他方の半カバー５が板状であってもよい。一方の半カバー４を柔軟性及び可撓性を有する材料で形成し、他方の半カバー５を硬質樹脂で形成してもよい。このことは、本発明における巻付け部２のカバーからの開放は、巻付け部２の全面的な開放に限定されるものでなく、一部開放も含むことを意味する。また、半カバー４，５を変形させることなく、芯部材３の長手方向に互いに近づけたり遠ざけたりすることにより、巻付け部２を開放したり囲ったりする構成でもよい。例えば、芯部材３を２つの筒から成る二重構造とし、外側の筒を巻付け部としてその一端に半カバーを取り付け、内側の筒の一端にも半カバーを取り付けて外側の筒に対してスライド可能とし、このように、芯部材３を２つの筒で構成して伸縮可能とすることにより、双方の半カバー４，５の間の距離を変えることができる。
【産業上の利用可能性】
【００３３】
カバーに囲われていた巻付け部を開放することにより、巻付け部に髪を巻き付け、再びカバーを元の状態に戻して、巻き付けた髪を覆うことが可能で、髪を覆うときに、巻かれた髪をくずす虞がなく、見た目の悪いくせが髪に付くことがない髪巻付け具を提供することができる。
【符号の説明】
【００３４】
１  髪巻付け具、    ２  巻付け部、    ３  芯部材、    ４  半カバー、    ５  半カバー、    ６  突条、    ７  突起、    ８  係止孔、    ９  係止孔、    １０  リング体、    １１  リング体、    １２  突片、    １３  突片、    １４  係止突部、    1５  係止突部、    １６  端面、    １７  端面、    １８  突起、    １９  突起、    ２０  小孔、    ２１  小孔、    ２２  突起、    ２３  突起、    ２４  芯部材の端部、  ２５  開口部、    ２６  周縁部、    ２７  山、    ２８  谷、    ２９  溝、    ３０  谷
【図１】
2014158513.tif 000003
【図２】
2014158513.tif 000004
【図３】
2014158513.tif 000005
【図４】
2014158513.tif 000006
【図５】
2014158513.tif 000007
【図６】
2014158513.tif 000008
【図７】
2014158513.tif 000009